(57)【要約】【課題】接地点を有する設備を含む領域においても、作業用アースの外し忘れを確認可能なアース外し確認装置及びアース外し確認方法を提供する。【解決手段】本発明のアース外し確認装置１は、接地線３ａを有する電気設備３を含む電気回路に電流を供給する電流源１１と、前記接地線３ａに流れる電流を検出する電流プローブ１５と、前記電流プローブ１５に流れる第１電流値、及び前記電流源１１より前記電気回路に供給された第２電流値を比較する比較演算装置１６と、を備える。【選択図】図２
2017184544.tif 000002
【特許請求の範囲】
【請求項１】
接地線を有する電気設備を含む電気回路に電流を供給する電流源と、
前記接地線に流れる電流を検出する電流プローブと、
前記電流プローブに流れる第１電流値、及び前記電流源より前記電気回路に供給された第２電流値を比較する比較演算装置と、
を備えるアース外し確認装置。
【請求項２】
前記第１電流値と第前記２電流値とが一致したことを表示する表示部を備える
請求項１に記載のアース外し確認装置。
【請求項３】
前記電流プローブは複数設けられ、
前記第１電流値は、複数の前記電流プローブがそれぞれ検出した電流値の合計値である、
請求項１または２に記載のアース外し確認装置。
【請求項４】
接地線を有する電気設備を含む電気回路に電流を供給し、
前記接地線に流れる電流を検出し、
前記接地線に流れる第１電流値、及び前記電気回路に供給された第２電流値を比較する、
アース外し確認方法。
【発明の詳細な説明】
【技術分野】
【０００１】
本発明は、アース外し確認装置及びアース外し確認方法に関する。
【背景技術】
【０００２】
高電圧の電気設備の保全作業は、作業者の安全を確保するため、停電させた電気回路を、作業用アース（アースフック）を用いて接地短絡した後で、行われている。この場合、作業員は、作業終了後に作業用アースを電気回路から外す必要がある。取り外しを忘れてしまうと、復旧のために送電した際に短絡事故が発生するからである。従来、作業用アースの外し忘れを防止するために、作業に使用する作業用アースの本数と、作業後外した作業用アースの本数とが同数であることの確認が行われている。
しかし、このような確認は、作業員の注意力に頼った確認であるため、外し忘れの可能性をゼロにすることはできない。
【０００３】
このため、作業用アースの本数確認とは別の方法として、保全作業後、電気回路を充電する前に、作業範囲の電気回路と対地間のインピーダンスを絶縁抵抗計を用いて測定し、無限大であることを確認する方法がある。
しかし、アース外し確認のための絶縁抵抗測定は、確認対象の回路に接地点がないことを前提とした方法である。したがって、作業範囲の電気回路に計器用変成器など接地点を有する設備がある場合、その接地を外した後、絶縁抵抗測定を行う必要がある。そして、確認のために外された接地は、充電前に再接続される。しかし、場合によっては、この確認のための接地を外す作業を安全に行うため、臨時の作業用アースが必要となることがある。
本来、アース外し確認のための絶縁抵抗測定は、人為ミス防止のために行うものである。このように絶縁抵抗測定のために新たな複数の手順が発生すると、その分、別の人為ミスの発生リスクを高めることになる。
【０００４】
その他のアース外しの確認手法として、２回線並行送電線における片側回線停電作業に用途を絞った方法が開示されている(特許文献１参照)。また、電気回路に試験電流を注入して接地点で電流を計測する方法も開示されている（特許文献２参照）。
【先行技術文献】
【特許文献】
【０００５】
【特許文献１】特開２０１５―４７００１号公報
【特許文献２】特願２００３―２１７４０７号公報
【発明の概要】
【発明が解決しようとする課題】
【０００６】
特許文献１の技術は、充電中の他回線の誘導電流を活用するしくみ上、電気回路の構成が複雑となる構内作業では誘導電流の想定が難しくい。また、特許文献２の技術は、接地点での確実な接地がなされていることを確認するものであり、正規の接地点以外に接地点がないことの確認には応用できない。
【０００７】
本発明は、接地点を有する設備を含む領域においても、作業用アースの外し忘れを確認可能なアース外し確認装置及びアース外し確認方法を提供する。
【課題を解決するための手段】
【０００８】
本発明のアース外し確認装置は、接地線を有する電気設備を含む電気回路に電流を供給する電流源と、前記接地線に流れる電流を検出する電流プローブと、前記電流プローブに流れる第１電流値、及び前記電流源より前記電気回路に供給された第２電流値を比較する比較演算装置と、を備える。
【０００９】
前記第１電流値と第前記２電流値とが一致したことを表示する表示部を備えてもよい。
【００１０】
前記電流プローブは複数設けられ、前記第１電流値は、複数の前記電流プローブがそれぞれ検出した電流値の合計値であってもよい。
【００１１】
本発明のアース外し確認方法は、接地線を有する電気設備を含む電気回路に電流を供給し、前記接地線に流れる電流を検出し、前記接地線に流れる第１電流値、及び前記電気回路に供給された第２電流値を比較する。
【発明の効果】
【００１２】
本発明によれば、接地点を有する設備を含む領域においても、作業用アースの外し忘れを確認可能なアース外し確認装置及びアース外し確認方法を提供することができる。
【図面の簡単な説明】
【００１３】
【図１】本発明のアース外し確認装置が用いられる、変電所等の設備を説明する図である。
【図２】本実施形態のアース外し確認装置を、図１の作業範囲に取り付けた状態を示す図である。
【発明を実施するための形態】
【００１４】
以下、本発明のアース外し確認装置１の実施形態について図面を参照して説明する。図１は本発明のアース外し確認装置１が用いられる変電所等の設備を説明する図である。変電所等には、それぞれ、リード線２で接続された計器用変成器３や断路器、遮断器等を含む種々の設備４，５が配置されている。
【００１５】
図示するような所定範囲内の設備３，４，５の保全作業を行う場合、まず、それらを含む作業範囲内の電気回路への送電を停止する。次いで、その電気回路の一点（作業対象の回路が電気的に分離されている場合は分離箇所毎）に作業用アース６を取り付ける。
この作業用アース６により、作業範囲内の接地が確実となり、高電圧のまま作業が行われる可能性が回避される。そして、図示する状態で、作業者によって各設備３，４，５の保全作業が行われる。
【００１６】
保全作業が済んだ後は、電気回路の復旧作業が行われ、リード線２が再度通電される。しかし、その復旧作業前に作業用アース６を取り外す必要がある。それは、作業用アース６が残っていると、高電圧が作業用アース６を流れてしまうからである。
このため、一般的には、作業後に絶縁抵抗測定器(図示せず)を用いて、リード線２の対地間抵抗を測定する。そして対地間抵抗が無限大であることが確認できた場合、作業用アース６が取り外されたと判断して、作業範囲内のリード線２の通電が行われる。
【００１７】
しかし、図示する実施形態の設備は、作業範囲内に、例えば計器用変成器３を含む。
計器用変成器３は、高電圧の測定のため、電気計器の測定範囲を拡大する電気計器である。この計器用変成器３は電気回路の一端を接地した状態で使用する機器であり、電気回路に電気的につながる接地線３ａを有する。
したがって、計器用変成器３を含む回路は、絶縁抵抗測定器で測定した場合、抵抗がゼロになる。ゆえに、作業用アース６の取り忘れがあるのかどうかを確認することができない。
【００１８】
本実施形態のアース外し確認装置１は、計器用変成器３等の、電気回路に電気的につながる接地線３ａが設けられている設備において、作業用アース６の取り忘れがあるか否かを確認する装置である。図２は、このような本実施形態のアース外し確認装置１を、図１の電気回路に取り付けた状態を示す図である。
【００１９】
実施形態のアース外し確認装置１は、電流源１１と、電流源１１により発生した電流を、電気回路（リード線２）に接続する接続部１２と、複数の電流センサ１３及び低周波フィルタ１４とを備える。実施形態では、例えば接続部１２として、作業用アース６と同様の部材を用い、その一端を電流源１１に接続し他端をリード線２に掛けるようにする。
【００２０】
電流源１１より発生される電流は、直流でも交流でもよいが、計器用変成器３等の正規の接地点での電流検出において交流の方が精度面で有利である。しかし、交流の場合、その周波数が商用周波に近づくと、誘導電流の影響を受けて精度のよい計測ができない可能性がある。それは、変電所等の場合、通電されている他の設備が存在するため、商用周波数を有するノイズが多く存在しているからである。このため、交流を用いる場合は、商用周波と離れた周波数の交流を用い。商標周波を低周波フィルタ１４で十分に除去できるようにするのが好ましい。
【００２１】
電流センサ１３及び低周波フィルタ１４は、アース外しの確認を行う設備内に、アースされている装置が複数設けられている場合にも使用可能となるように、複数（電流センサ１３ａ，１３ｂ・・・１３ｎ、低周波フィルタ１４ａ，１４ｂ・・・１４ｎ）設けられている。そして、電流センサ１３ａ，１３ｂ・・・１３ｎは、それぞれ、クランプ式電流プローブ１５ａ，１５ｂ・・・１５ｎを備える。
なお、電流センサ１３ａ，１３ｂ・・・１３ｎは同様の構成であるので、特に区別して説明する必要がある場合以外、電流センサ１３として説明する。低周波フィルタ１４ａ，１４ｂ・・・１４ｎも同様の構成であるので、特に区別して説明する必要がある場合以外、低周波フィルタ１４として説明する。クランプ式電流プローブ１５ａ，１５ｂ・・・１５ｎも同様の構成であるので、特に区別して説明する必要がある場合以外、クランプ式電流プローブ１５として説明する。
【００２２】
クランプ式電流プローブ１５は、クランプした電線に流れる電流による磁界を測定することによって電気回路を開くことなく測定可能である。低周波フィルタ１４ａは、上述ように、例えば商用周波数を有するノイズを除去する。
【００２３】
さらに、アース外し確認装置１は、比較演算装置１６と、表示部１７と、を備える。
比較演算装置１６には、クランプ式電流プローブ１５ａ，１５ｂ・・・１５ｎ及び電流センサ１３ａ，１３ｂ・・・１３ｎのそれぞれにより検出されて、それぞれが対応する低周波フィルタ１４ａ，１４ｂ・・・１４ｎによりノイズが除去された電流値Ａａ，Ａｂ・・・Ａｎが全て入力される。
比較演算装置１６では電流値Ａａ，Ａｂ・・・Ａｎのすべてが合計された合算電流値Ａｓが求められる。また、比較演算装置１６には、電流源１１でから接続部１２を介してリード線２に流れる電流値Ｂが入力される。
そして、比較演算装置１６は、合算電流値Ａｓと電流値Ｂとを比較する。
【００２４】
表示部１７は、緑ランプと赤ランプを備える。緑ランプは、比較演算装置１６の比較の結果、合算電流値Ａｓと電流値Ｂとが同じ場合（あるいは両者の差が、所定範囲以内の場合）、点灯する。赤ランプは、比較演算装置１６の比較の結果、合算電流値Ａｓと電流値Ｂとが異なる（あるいは両者の差が、所定範囲より大きい場合）場合、点灯する。
【００２５】
次に、実施形態のアース外し確認装置１の動作について説明する。
まず、電気回路内のリード線２に、電流源１１から延びる接続部１２を接続する。
電流センサ１３のクランプ式電流プローブ１５を、回路内において接地線３ａを有する、例えば計器用変成器３の接地線に取り付ける。
接地線を有する設備が複数存在する場合、全ての設備の接地線３ｂ・・・３ｎのそれぞれにクランプ式電流プローブ１５ｂ・・・１５ｎを取り付ける。
【００２６】
電流源１１より電流を流す。そうすると、電流は、接続部１２を通して電気回路を流れ、計器用変成器３の接地線３ａ、及びその他の接地線３ｂ・・・３ｎを流れる。
各接地線３ａ，３ｂ・・・３ｎを流れる電流値Ａａ，Ａｂ・・・Ａｎは、それぞれに接続されたクランプ式電流プローブ１５ａ，１５ｂ・・・１５ｎ及び電流センサ１３ａ，１３ｂ・・・１３ｎのそれぞれにより検出され、対応する低周波フィルタ１４ａ，１４ｂ・・・１４ｎによりノイズが除去された電流値Ａａ，Ａｂ・・・Ａｎが全て、比較演算装置１６に入力される。
比較演算装置１６では電流値Ａａ，Ａｂ・・・Ａｎの合算電流値Ａｓが求められる。また、比較演算装置１６には、電流源１１でから接続部１２を介してリード線２を流れる電流値Ｂが入力される。そして、比較演算装置１６では、合算電流値Ａｓと電流値Ｂが比較される。
また、比較演算装置１６には、電流源１１でから接続部１２を介してリード線２を流れる電流値Ｂが入力される。そして、比較演算装置１６では、合算電流値Ａｓと電流値Ｂが比較される。
【００２７】
比較演算装置１６の比較の結果、合算電流値Ａｓと電流値Ｂとが同じ場合（あるいは両者の差が、所定範囲以内の場合）、表示部１７の緑ランプが点灯する。表示部１７の緑のランプが点灯することにより、作業者は、作業用アースの外し忘れがないことを確認することができる。そして、作業者が、所定の作業を行うことで、電気回路への送電が開始される。
【００２８】
比較演算装置１６の比較の結果、合算電流値Ａｓと電流値Ｂとが異なる（あるいは両者の差が、所定範囲より大きい場合）場合、赤ランプが点灯する。表示部１７の赤ランプが点灯することにより、作業者は、作業用アース６の外し忘れが存在することがわかる。この場合、作業者は、電気回路内を確認し、作業用アース６を探し出す。外し忘れの作業用アース６を見つけ出したら、その作業用アース６を取り外す。再度、アース外し確認装置１を動作させて、緑ランプが点灯するまで、上記確認作業を繰り返す。
【００２９】
以上、本実施形態によると、計器用変成器３など接地された設備がある変電所等の構内において、所定範囲内の設備３，４，５の保全作業を行う場合、保線作業終了時のアース外しの確認を簡易に行うことができる。
【００３０】
これにより、計器用変成器３が作業範囲にあるような電気回路において、作業用アース６外し確認の手順が大幅に簡素化され、その分、人為ミスの起きるリスクが低減できる。
作業内容によっては、正規の接地線をつけ外しする場合もある。本実施形態では、そのような場合において、接地できているか否かの確認も行うことができる。
【符号の説明】
【００３１】
１：アース外し確認装置
２：リード線
３：計器用変成器
３ａ：接地線
６：作業用アース
１１：電流源
１２：接続部
１３：電流センサ
１４：低周波フィルタ
１５：クランプ式電流プローブ
１６：比較演算装置
【図１】
2017184544.tif 000003
【図２】
2017184544.tif 000004